(57)【要約】      （修正有）【課題】棚板を小さい間隔で移動、保持できるキャビネットを提供する。【解決手段】キャビネットの棚板３を保持するため、棚板３を受ける部分が水平なる突起２を櫛状に連続的して有し、縦に細長い水平突起櫛状棚板保持具１を棚板３の水平維持可能な枚数を左右の側板内側５に垂直に取り付け、更に棚板３の両側断面に櫛状突起２が挿入可能な寸法の水平溝４を設けた棚板３、或いは棚板の両側の断面下部に水平突起に載置可能な寸法の水平切り欠きを設けた棚板の水平溝、或いは切り欠き部分を水平櫛状突起に差し込む、或いは載置することにより、棚板を保持する連続櫛型棚板保持具、および棚板両側断面溝付き棚板、或いは棚板両側断面下部切り欠き棚板の組み合わせ構造を特徴とする。【選択図】図３
0003212817.tif 000002
【実用新案登録請求の範囲】
【請求項１】
棚板を棚板保持具にて保持するキャビネットであって、（１）可動棚板保持のため、棚板を受ける部分が水平なる突起を櫛状に連続して設けた、（２）縦に細長い水平突起櫛状棚板保持具を（３）キャビネットの両側板内側に垂直に固定し、（４）更に棚板の両側の断面には水平突起が挿入可能なる寸法の水平溝を設けた棚板を、（５）棚受け用水平櫛状突起に棚板の溝を差し込むことにより、棚板を保持する構造の（６）水平突起櫛状棚板保持具、及び両端水平溝付き棚板による組み合わせ構造を特徴とするキャビネット。
【請求項２】
棚板を棚板保持具にて保持するキャビネットであって、（１）可動棚板保持のため、棚板を受ける部分が水平なる突起を櫛状に連続して設けた、（２）縦に細長い水平突起櫛状棚板保持具を（３）キャビネットの両側板内側に垂直に固定し、（４）更に棚板の両側の断面下部に水平突起に載置可能な高さ、及び幅の切り欠きを水平に設けた棚板を、（５）棚受け用水平櫛状突起に棚板の切り欠き部分を載置することにより棚板を保持する構造の（６）水平突起櫛状棚板保持具、及び両端水切り欠き付き棚板による組み合わせ構造を特徴とするキャビネット。
【考案の詳細な説明】
【技術分野】
【０００１】  本考案は棚板保持具を有するキャビネットに関するものである。
【背景技術】
【０００２】  従来の多くのキャビネットの棚板移動、保持は棚受けダボ、或いは棚受けホルダー方式である。
【先行技術文献】
【非特許文献】
【０００３】
【非特許文献１】スガツネ工業株式会社  カタログＮＯ．２００Ａ−１巻Ｐ２６４、Ｐ２８４
【考案の概要】
【考案が解決しようとする課題】
【０００４】  従来の多くのキャビネットの棚板保持形式である、棚受けダボ方式は耐荷重、細かいピッチでの移動、及び棚板が落下する等の問題点があり、或いはショーケース等にみられる棚受けホルダー方式は部品数、作業量、及びコスト等に問題がある点を解決課題とする。
【課題を解決するための手段】
【０００５】  本考案は問題点解決のため、キャビネットの棚受け用水平櫛状突起を連続的に有する、縦方向に長い連続櫛型棚板保持具を左右の側板内側に棚板の水平を維持できる枚数を固定し、更に棚板には両側断面に櫛状突起に挿入可能な高さ寸法の水平溝を設け、棚板を棚受け用水平櫛状突起に差し込む構造の両側断面水平溝付き棚板、或いは棚板の両側断面の下部に水平突起に載置可能な幅の切り欠きを水平に設けた棚板及び連続櫛型棚板保持具組み合わせ構造により問題点の解決手段とするものである。
【考案の効果】
【０００６】  水平に棚板を受ける突起を櫛状に連続して有する縦に細長い棚板保持具を左右の側板に固定し、更に棚板両側断面に溝をもうけた棚板、或いは棚板の両側の断面下部に水平突起に載置可能な幅の切り欠きを水平に設けた棚板を差し込むことにより、棚板を小さい間隔で移動、保持できる本考案の方式は従来のキャビネット用棚板の移動、保持方法であるダボ方式と比較した場合、耐荷重、棚板移動可能ピッチの点でより優れ、棚受けホルダー方式と比較してブランケットが不要となり作業量、コスト面でも優れた効果がある。
【図面の簡単な説明】
【０００７】
【図１】  連続櫛型棚板保持具と溝付き棚板の設置前のキャビネット全体斜視図
【図２】  連続櫛型棚板保持具と溝付き棚板の設置後のキャビネット全体斜視図
【図３】  連続櫛型棚板保持具と棚板水平溝部分拡大斜視図
【図４】  連続櫛型棚板保持具と棚板切り欠き部分拡大斜視図
【図５】  連続櫛型棚板保持具と切り欠き棚板設置前のキャビネット全体斜視図
【図６】  連続櫛型棚板保持具と切り欠き棚板設置後のキャビネット完成斜視図
【考案を実施するための形態】
【０００８】  上記考案を実施するため、キャビネット用の棚板を移動、保持用するために、水平なる櫛状棚受け用突起を連続して有する縦に細長い板を棚板保持具とし、左右の側板内側に複数枚固定し、更に棚板両側断面に水平溝を設ける、或いは棚板両側断面の下部に切り欠きをし、棚板の溝部分、或いは棚板切り欠き部分を櫛状突起の間に差し込む、又は載置することにより、棚板を小間隔で移動、確実に保持できる連続櫛型棚板保持具、及び溝付き棚板、或いは切り欠き棚板の組み合わせを特徴とするキャビネットを実施するための形態を図１〜図４を参照して説明する。
【実施例】
【０００９】  以下、添付図に従って実施例を説明する。図１は請求項１に該当するキャビネット用棚板３を移動、保持するため水平櫛状突起２を連続して有する縦に細長い連続櫛型棚板保持具１を左右の側板内側５に複数枚垂直に固定し、更に棚板３両側断面に水平溝４を設け、棚板の溝部分、或いは棚板を櫛状突起の間に差し込むことにより、棚板３を小さい間隔で移動、保持できる連続櫛型棚板保持具の棚板挿入前の全体説明図である。尚、キャビネットにはオープンラック、ショーケース形式のものも含まれる。【００１０】  図２は同じく請求項１に該当するキャビネット用の棚板３を移動、保持するため、水平櫛状突起２を連続して有する縦に細長い棚板保持具１を左右の側板内側５に棚板保持可能枚数固定し、棚板３の両側断面に水平溝４を設けた棚板３を溝部分２に差し込むことにより、棚板３を小さい間隔で移動、保持できる連続櫛型棚板保持具に棚板を挿入した形態の全体説明図である。【００１１】  図３は請求項１に該当するキャビネット用の棚板３を移動、保持するため、水平なる櫛状突起２を連続して有する縦に細長い棚板保持具１を左右の側板内側５に複数枚固定し、更に棚板３には両側断面に水平溝４を設け、棚板に設けた溝部分２に差し込むことにより、棚板３を小さい間隔で移動、保持できる連続櫛型棚板保持具に棚板挿入前、及び挿入した詳細部分の拡大説明図であり、簡略化のため天板６、及び底板７等を省略した図である。尚、棚板の厚み、櫛状突起の間隔、厚み、材質、長さ、幅等は図示に限定するものではない。【００１２】  図４は請求項２に該当するキャビネット用の棚板３を移動、保持するため多数の水平櫛状突起２を有する連続櫛型棚板保持具１を左右の側板内側５に垂直に、複数枚固定し、更に棚板３には両側断面下部に水平切り欠き９を設け、棚板３を水平突起の上に載置することにより棚板３を小さい間隔で移動、保持できる連続櫛型棚板保持具の棚板載置詳細部分拡大説明図であり、図の簡略化のため天板６、及び底板７等を省略した図である。尚、棚板の厚み、櫛状突起の間隔、厚み、材質、長さ、幅等は図示に限定するものではない。【００１３】  図２は同じく請求項２に該当するキャビネット用の棚板３を移動、保持するため、水平櫛状突起２を連続して有する縦に細長い棚板保持具１を左右の側板内側５に棚板保持可能枚数固定し、棚板３の両側断面下部に切り欠き９を設けた棚板３の切り欠き部分９を水平櫛状突起２に載置することにより、棚板３を小さい間隔で移動、保持できる連続櫛型棚板保持具に棚板を挿入前の形態の全体説明図である。【００１４】  図２は同じく請求項２に該当するキャビネット用の棚板３を移動、保持するため、水平櫛状突起２を連続して有する縦に細長い棚板保持具１を左右の側板内側５に棚板保持可能枚数固定し、棚板３の両側断面に水平溝４を設けた棚板３を溝部分２に差し込むことにより、棚板３を小さい間隔で移動、保持できる連続櫛型棚板保持具に棚板を挿入した形態の全体説明図である。
【産業上の利用可能性】  従来のダボ式と比較して強度面、細かいピッチでの移動、及び固定の点で勝り、棚受けホルダー式と比較して、シンプルであり、あらゆる棚を有するキャビネットに応用可能であり、量産家具、ショーケース、展示台等においてコストダウンが期待できる。
【符号の説明】
【００１５】  １  棚板保持用の水平突起を櫛状に有する棚板保持具
２  櫛状水平溝
３  両側面に水平溝、或いは切り欠きを設けた棚板
４  棚板両側面に設けた水平溝
５  側板
６  天板
７  底板
８  裏板
９  棚板両側面下部に設けた切り欠き
１０  棚板挿入、或いは載置方向矢印
【図１】
0003212817.tif 000003
【図２】
0003212817.tif 000004
【図３】
0003212817.tif 000005
【図４】
0003212817.tif 000006
【図５】
0003212817.tif 000007
【図６】
0003212817.tif 000008